(57)【特許請求の範囲】
【請求項１】
可動接点体と、基板とを備えてなる基板用スイッチであって、
前記可動接点体が、銅もしくは銅合金を主成分とする金属ドームの可動接点に、少なくとも第１のめっき層と、第２のめっき層とが順に積層されてなり、
前記基板が、基板基材上に設けられた銅もしくは銅合金を主成分とする固定接点に、少なくとも第１のめっき層と、第２のめっき層とが順に積層されてなり、
前記可動接点の第１のめっき層を構成する成分と、前記固定接点の第１のめっき層を構成する成分の標準電極電位が実質的に同一であり、かつ、前記可動接点の第２のめっき層を構成する成分と前記固定接点の第２のめっき層を構成する成分との標準電極電位が実質的に同一であり、
前記可動接点の第２のめっき層と、前記固定接点の第２のめっき層とが、実質的に同一の厚みであり、
前記可動接点の第１のめっき層と、前記固定接点の第１のめっき層とが、実質的に同一の厚みである、基板用スイッチ。
【請求項２】
前記可動接点の第１のめっき層と、前記固定接点の第１のめっき層が、ニッケルめっきもしくは銀めっきであり、前記可動接点の第２のめっき層と、前記固定接点の第２のめっき層が、金めっきである、請求項１に記載の基板用スイッチ。
【発明の詳細な説明】
【技術分野】
【０００１】
本発明は、基板用スイッチに関する。本発明は、特には、耐食性に優れ、長期信頼性に優れる薄型の基板用スイッチに関する。
【背景技術】
【０００２】
従来、基板用スイッチにおいては、ドーム形状をした金属接点にステンレス系合金を使用し、さらにそのステンレス系合金にニッケル、銀、金などのめっきを施している。一方、基板側は銅材の薄板表面に、一般的に用いられるめっきを施している。
【０００３】
金属接点ドームのめっき磨耗防止のために、鉄合金等からなる導電性基材上にニッケル下地層が設けられ、さらにパラジウム合金を中間層として、最表面に銀メッキを施した、可動接点部品用銀被覆材が知られている（特許文献１を参照）。また、ステンレス鋼に、ニッケル、コバルト、もしくはこれらの合金を下地めっきとし、さらに銀めっきを施してなるドーム型可動接点と、黄銅に銀めっきした固定接点とから構成されるスイッチも知られている（特許文献２を参照）。他に、ステンレス鋼からなる薄板基板表面に、ニッケル、銅、銀のめっき層を順に形成してなる、皿バネとして機能しうる金属板が知られている（特許文献３を参照）。
【先行技術文献】
【非特許文献】
【０００４】
【特許文献１】特開2008-270193号公報
【特許文献２】特開2011-127225号公報
【特許文献３】特開2004-263274号公報
【発明の概要】
【発明が解決しようとする課題】
【０００５】
ステンレス系合金を使用した金属ドームにおいては、ハードクロームめっきでは接触抵抗が高いという問題があった。特許文献１に開示された技術は、パラジウム合金めっきを必須として課題を解決するものであり、高価であるという問題がある。一方、安価な通常の金めっき、銀めっきでは、継続使用でめっきが磨り減ったときに、ステンレス系合金から、空気中の水分を介在して、基板の電極に鉄が転移するという問題があった。転移した鉄は直ちに酸化鉄となり、接触不良の原因となり得る。特許文献３に開示された技術では、皿バネに三層のめっきを設けているが、磨り減りとともに、同様の問題が懸念される。
【０００６】
この現象を、金属の標準電極電位を用いて考察すると、最終的に摺り合う、鉄（-0.447V）、銅（+0.342V）と空気中の湿気とが介在し、錆が発生することが考えられる。錆を構成する具体的な化合物としては、酸化鉄（ＩＩ、ＩＩＩ）や水酸化鉄（ＩＩ、ＩＩＩ）が含まれるほか、様々な化合物が他にも含まれることが推測される。錆はイオン的に非常に安定な絶縁物となり、接触不良を促進させる。
【課題を解決するための手段】
【０００７】
上記課題を解決するために、本発明者らは、金属の標準電極電位に基づいて、めっき材料を選定すること、特には、接触部を構成する二つの材料の標準電極電位を揃えることを見出し、本発明を完成するに至った。
【０００８】
本発明は、一実施形態によれば、基板用スイッチであって、可動接点体と、基板とを備えてなり、前記可動接点体が、銅もしくは銅合金を主成分とする金属ドームの可動接点に、少なくとも第１のめっき層と、第２のめっき層とが順に積層されてなり、前記基板が、基板基材上に設けられた銅もしくは銅合金を主成分とする固定接点に、少なくとも第１のめっき層と、第２のめっき層とが順に積層されてなり、前記可動接点の第１のめっき層を構成する成分と、前記固定接点の第１のめっき層を構成する成分の標準電極電位が実質的に同一であり、かつ、前記可動接点の第２のめっき層を構成する成分と前記固定接点の第２のめっき層を構成する成分との標準電極電位が実質的に同一である。
【０００９】
前述の基板用スイッチにおいて、前記可動接点の第１のめっき層と、前記固定接点の第１のめっき層が、ニッケルめっきもしくは銀めっきであり、前記可動接点の第２のめっき層と、前記固定接点の第２のめっき層が、金めっきであることが好ましい。
【００１０】
前述のいずれかの基板用スイッチにおいて、前記可動接点の第２のめっき層と、前記固定接点の第２のめっき層とが、実質的に同一の厚みであることが好ましい。
【００１１】
前述のいずれかの基板用スイッチにおいて、前記可動接点の第１のめっき層と、前記固定接点の第１のめっき層とが、実質的に同一の厚みであることが好ましい。
【発明の効果】
【００１２】
本発明に係る基板用スイッチによれば、スイッチを構成する可動接点体と基板の接点における腐食が防止され、スイッチの接触不良を防ぐことができる。特に、上記構成とすることにより、継続使用により、可動接点体と基板との接点のめっき層が磨り減った場合であっても、可動接点体と基板との間の金属材料の間に流れる、極微小な電流を抑えることができ、材料金属間に電流が流れることによる腐食を抑えることができる。従来、可動接点体を構成する材料については、多層めっきなどによる特性向上が図られてきたが、固定接点を構成する材料について、可動接点体材料との関係で検討はなされなかった。本発明においては、材料間の相互の特性及び作用を検討することにより、耐腐食性に優れ、接触抵抗が長期にわたって安定した、製品寿命が長い基板用スイッチを提供することができる。
【図面の簡単な説明】
【００１３】
【図１】図１は、可動接点体と、基板とを備えてなる基板用スイッチの概念的な断面図である。
【図２】図２は、図１中、Ｘで示される接点部位の拡大図である。
【図３】図３は、図１中、Ｙで示される接点部位の、長期使用後の概念的な拡大図である。
【発明を実施するための形態】
【００１４】
以下に、本発明の実施の形態を、図面を参照して説明する。ただし、図示する形態は一例であって、本発明は、以下に説明する実施の形態によって限定されるものではない。
【００１５】
本発明は、一実施形態によれば、基板用スイッチに関する。図１は、本発明のある実施形態に係る基板用スイッチの概念的な断面図である。基板用スイッチは、可動接点体３と、基板２と、スペーサ４と、カバーフィルム５から主として構成される。図１を参照すると、基板２上に可動接点体３が載置され、可動接点体３はスペーサ４により、基板面と平行な方向に固定されている。可動接点体３の上方には、可動接点体３の固定、及び接点部の防塵を目的として接点部位を覆うカバーフィルム５が設けられている。さらに、カバーフィルム５の上方には、基板面と垂直な方向に可動に押し子７が設けられる。押し子７は、ケース６により基板面と平行な方向に固定されて、シール（印刷物）８により密閉される。図１に示す実施形態は、スイッチ表面をフラット化する目的で、デザインが印刷されたシール８を貼った例を示す。
【００１６】
図１に示す基板スイッチの作動機構について説明すると、可動接点体３が押し子７により押されると、押された可動接点体３が、基板２の中央電極である銅箔２０ａと端電極である銅箔２０ｂ、２０ｃを導通させて、スイッチとして機能する。
【００１７】
図１を参照すると、可動接点体３は、ドーム状の金属バネから構成される金属ドームの内側の中央部と側部に、基板２との可動接点を有する。可動接点は、基板２側の固定接点となる銅箔２０ａ、ｂ、ｃと接触する位置にある。図示する態様においては、中央部の可動接点は、ドーム内部に設けられた凸状部材であり、側部の可動接点は、ドーム側端を外側に屈曲させることにより設けている。なお、金属ドームの形状は、スイッチに用いられる任意の従来既知の形状であってよく、図１に示す実施形態には限定されない。
【００１８】
図１のＸは、可動接点体３の可動接点と、基板２の固定接点である銅箔２０ａとの接触部位を示す。Ｘにおける拡大図である図２を参照すると、可動接点には、第１のめっき層３１と、第２のめっき層３２とが、母材である金属ドーム３０に順に積層して設けられる。基板スイッチの製造当初（使用前）は、第２のめっき層３２が、基板２と接触する接点となる。
【００１９】
一方、基板２はプリント基板であってよく、通常、ガラスエポキシなどから構成される基板基材２３に、回路パターンを構成する銅箔２０ｂが形成されている。この銅箔２０ｂが、固定接点として機能する。銅箔２０ｂ上には、第１のめっき層２１と、第２のめっき層２２とがこの順に積層される。基板スイッチの製造当初（使用前）は、第２のめっき層２２が、可動接点体３の第２のめっき層３２との接点となる。なお、本実施形態において、固定接点は銅箔を例示して説明しているが、固定接点は、銅もしくは銅合金を主成分とする材料であればよい。
【００２０】
本発明において、可動接点体３を構成する母材である金属ドーム３０は、銅もしくは銅合金を主成分として構成され、好ましくは銅もしくは銅合金からなる。基板２の固定接点材料である、銅箔２０と、標準電極電位を揃えるためである。銅もしくは銅合金としては、ばね用りん青銅や、ベリリウム銅が好ましく用いられるが、これには限定されない。
【００２１】
可動接点体３の第１のめっき層３１の構成成分と、銅箔２０ｂ上の第１のめっき層２１の構成成分とは、標準電極電位が実質的に同一である。本明細書において、標準電極電位が実質的に同一であるとは、可動接点体３の第１のめっき層３１の構成成分の標準電極電位と、銅箔２０ｂ上の第１のめっき層２１の構成成分の標準電極電位の差の絶対値が０．１Ｖ以内であり、好ましくは、０．０５Ｖ以内であり、最も好ましくは同一であることをいう。
【００２２】
また、可動接点体３の第２のめっき層３２の構成成分と、銅箔２０ｂ上の第２のめっき層２２の構成成分とも、実質的に同一である。
【００２３】
より好ましくは、可動接点体３の第１のめっき層３１の構成成分と、銅箔２０ｂ上の第１のめっき層２１の構成成分とは、同一の金属からなり、かつ、可動接点体３の第２のめっき層３２の構成成分と、銅箔２０ｂ上の第２のめっき層２２の構成成分とも、同一の金属からなる。ここで、金属は単体であってもよく、金属合金であってもよく、めっき層の構成成分は、金属以外の構成元素、例えば、Ｃ（炭素）、Ｐ（リン）などをさらに備えるものであってもよい。
【００２４】
好ましい組み合わせとしては、第１のめっき層２１、３１が、銀であり、第２のめっき層２２、３２が金である態様が挙げられる。かかる態様においては、金属ドーム３０の材料である母材の銅もしくは銅合金、銀、金はいずれも水素より標準電極電位が高いため、腐食に強いという利点がある。また、銀めっき、及び金めっきは銅母材に析出する際に純度が高く質が良いため、磨耗後も腐食しにくいという利点もある。さらに、安価に実施できるため、経済的な利点もある。銀めっきを、第２のめっき層２２、３２に被覆される第１のめっき層２１とすることが好ましい理由として、銀は安価で高い電気伝導性を有する一方、空気中に排ガスなどの硫化物があると簡単に黒化、あるいは空気中で酸化しやすいことが挙げられる。
【００２５】
他には、第１のめっき層２１、３１が、ニッケルであり、第２のめっき層２２、３２が金である態様が挙げられる。一般的なめっき方法で製造しやすく、安価であるという利点がある。
【００２６】
さらに、第１のめっき層２１、３１が、パラジウムであり、第２のめっき層２２、３２が金である態様が挙げられる。この態様の利点としては、耐硫化特性、耐酸化特性、耐摩耗性に特に優れることが挙げられる。
【００２７】
また、可動接点体３の第１のめっき層３１のめっき厚みと、銅箔２０ｂ上の第１のめっき層２１のめっき厚みとは、実質的に同一であることが好ましい。使用する際、摩耗により、層が削れて内側の層が露出するタイミングを揃え、内側の層が露出した場合でも、接触する部位間で標準電極電位を揃えることが可能になるためである。めっき厚みが実質的に同一であるとは、可動接点体３に設けられた第１のめっき層３１の厚みと、銅箔２０ｂ上の第１のめっき層２１の厚みの差の絶対値が、厚いほうのめっき層の厚みの２０％以内であり、好ましくは、１０％以内であり、最も好ましくは可動接点体３に設けられた第１のめっき層３１の厚みと銅箔２０ｂ上の第１のめっき層２１の厚みとが同一であることをいう。
【００２８】
一例として、第１のめっき層２１、３１が、銀であり、第２のめっき層２２、３２が金である場合には、第１のめっき層２１、３１が、１〜２μｍであることが好ましく、１〜１．５μｍであることがさらに好ましい。第２のめっき層２１、３１が、０．１５〜１μｍであることが好ましく、０．１５〜０．５μｍであることがさらに好ましい。めっきが厚すぎる場合、皿バネの動作を妨げる場合があり、薄すぎる場合、めっきとしての役割を十分に果たすことができない場合があるためである。
【００２９】
第１のめっき層２１、３１が、ニッケルであり、第２のめっき層２２、３２が金である場合には、第１のめっき層２１、３１が、１〜４μｍであることが好ましく、１〜２μｍであることがさらに好ましい。第２のめっき層２１、３１が、０．１５〜１μｍであることが好ましく、０．１５〜０．２μｍであることがさらに好ましい。理由は上記と同一である。
【００３０】
第１のめっき層２１、３１が、パラジウムであり、第２のめっき層２２、３２が金である場合には、第１のめっき層２１、３１が、０．３〜０．９μｍであることが好ましく、０．３〜０．５μｍであることがさらに好ましい。第２のめっき層２１、３１が、０．１５〜１μｍであることが好ましく、０．１５〜０．５μｍであることがさらに好ましい。理由は上記と同一である。
【００３１】
可動接点体３において、このような第１のめっき層３１及び第２のめっき層３２は、母材である金属ドーム３０の内側表面全体に設けられていてもよく、可動接点部位に局部的に設けられてもよい。局部的に設けられる場合は、いずれの可動接点部位においても、実質的に同一の層構成、実質的に同一のめっき厚でめっき層３１、３２を積層することが好ましい。基板２においては、第１のめっき層２１及び第２のめっき層２２は、固定接点となる銅箔２０ａ、ｂ、ｃ上に形成される。この場合も、いずれの固定接点においても、実質的に同一の層構成、実質的に同一のめっき厚でめっき層２１、２２を積層することが好ましい。
【００３２】
なお、図示はしないが、可動接点、固定接点ともに３層、４層、あるいは５層以上の、それぞれ同じ層数のめっき層が設けられていても良い。この場合も、可動接点、固定接点における対応するめっき層を構成する成分の標準電極電位は実質的に同一であり、好ましくは、対応するめっき層を構成する成分は同一である。さらに、可動接点、固定接点における対応するめっき層の厚みは実質的に同一であることが好ましい。なお、対応するめっき層とは、母材に近いほうから、第１のめっき層、第２のめっき層とした場合に同じ数番号を付しためっき層である。接点を中心にして、同じ数番号を付しためっき層は、同程度に摩耗すると考えられるため、同じ数番号を付しためっき層を実質的に同一の標準電極電位からなる材料で構成することにより、上記実施形態で説明したのと同様の効果を得ることができる。
【００３３】
次に、本発明に係る可動接点体３及び基板２を製造方法の観点から説明する。可動接点体３および基板２への第１のめっき層２１、３１、第２のめっき層２２、３２の形成法は、一般的な方法により実施することができる。また、特に銅もしくは銅合金からなる母材に、第１のめっき層として銀あるいはニッケルを設けたものは、標準品の帯鋼として市販されている。このような標準品の帯鋼を、例えば、フープめっきすることにより、銅もしくは銅合金上に第１のめっき層及び第２のめっき層を順に積層してなる部材を得ることができる。
【００３４】
可動接点体３を図１の所定の形状に加工する方法は既知であるが、加工は、めっき層の積層後に実施することが好ましい。基板２の製造においては、基板基材２３に銅箔２０を形成した後、銅箔２０にめっき層２１、２２を積層することによって製造することができる。
【００３５】
スイッチは、図１を参照して説明したとおりに、従来の構成に従って各構成部材を組み立てることにより製造することができる。このようにして製造された本発明に係る基板用スイッチの、可動接点体３と基板２との接触部位は、製造後、使用前には、図２に示すように、基板２側に第１のめっき層２１、第２のめっき層２２がこの順に、可動接点体３側に第１のめっき層３１、第２のめっき層３２がこの順に積層されており、スイッチが押下されない状態において、自然腐食することはない。接触する第２のめっき層２２、３２を構成する金属材料の標準電極電位を揃えているためである。
【００３６】
スイッチを使用開始後、使用回数が増加するにつれ、接点の接触回数が増加し、接点が摩耗することが予測される。図３は、基板スイッチを相当回数使用後の図１の部位Ｙの概念的な拡大図である。基板２側のめっき層２１、２２、可動接点体３側のめっき層３１、３２とも、摩耗して、接点における層が剥離し、周囲に摩耗金属粉２４、３４が付着している。しかし、例えば、第１のめっき層、第２のめっき層の構成材料とも、銀、金、パラジウムのいずれかである場合には、金属摩耗粉２４、３４が酸化により腐食することはない。これらの金属の標準電極電位は、それぞれ、＋0.799 V、＋0.987 V、＋1.520 Vであり、水素（Ｈ）の標準電極電位よりも還元側にあるためである。
【００３７】
なお、図１に示す基板用スイッチの構成は、一例であり、本発明は、図示する実施形態には限定されない。例えば、フィルムで密閉された押し子に代えて、カバーフィルム上方にストローク延長バネを設け、その上方に、ケースから突出した押し子を備える構成であってもよい。このようなスイッチの動作ストロークを稼ぐ構成は、図１に示す基板用スイッチと比較して、多少厚みは増す場合があるものの、クリック感が必要な用途において好ましく用いられる。この場合でも、可動接点体と基板は、図１に示す実施形態と同様に構成することができる。そして、押し子が、ストローク延長バネを介して、可動接点体を押下することで、図示する実施形態と同様に基板スイッチとして機能させることができる。
【実施例】
【００３８】
以下に、本発明を、実施例を参照してより詳細に説明する。しかし、以下の実施例は本発明を限定するものではない。
【００３９】
［実施例］
厚さ７０μｍのばね用りん青銅からなる母材を用い、直径が８．４ｍｍ、ドーム高さが０．６ｍｍの金属ドームを製造した。母材に１μｍの銀めっきを施し、次いで、銀めっき上に、０．１５μｍの金めっき（純度９９％）を積層して、図１に示す所定の形状に加工し、可動接点体を得た。プリント基板用のガラスエポキシ基材上に、１８μｍの銅箔で回路パターンを形成した。次いで、固定接点となる銅箔上に、１μｍの銀めっきを施し、銀めっき上に、０．１５μｍの金めっき（純度９９％）を積層して、基板を得た。
【００４０】
上記のようにして得た可動接点体及び基板を、他の部材とともに組み立て、図１に示す構造を備える実施例の基板スイッチを製造した。同一材料、同一構造のスイッチを４つ製造し、これらをサンプルＮｏ．１〜４とした。このスイッチを用いて打鍵試験を行った。試験は、基板を垂直に立てて水平方向にスイッチを押下する方式により行った。具体的には、エアーシリンダーにて、０．５秒押下し、０．５秒離すことを１回として、３６００回／ｈで押下を繰り返した。押下力は、３Ｎとし、接点に電圧は印加しなかった。１００万回、および３００万回打鍵後のスイッチの接触抵抗を、ＡＣミリオームテスター３５５０（日置電機株式会社製）を用いて測定した。
【００４１】
［比較例１］
厚さ８０μｍのＳＵＳ３０１を母材として、実施例と同じ形状の金属ドームを製造し、可動接点部位に、２μｍのニッケルめっきを施し、比較例１の可動接点体を得た。プリント基板用のガラスエポキシ基材上に銅箔で回路パターンを形成し、銅箔に、０．０２μｍの金めっき（純度９９％）を施して比較例１の基板を得た。これらを実施例と同様にして組み立て、比較例のスイッチを製造した。比較例１においても、同一材料、同一構造のスイッチを４つ製造し、これらをサンプルＮｏ．５〜８とした。次いで、比較例１のスイッチを用いて打鍵試験を行った。試験条件は実施例と同じとし、１００万回打鍵後のスイッチの接触抵抗を、実施例と同じ装置を用いて測定した。
【００４２】
［比較例２］
実施例のスイッチの構成における金めっきを行わず、可動接点体の皿ばね側、固定接点体の銅箔側とも、１μｍの銀めっき１層のみとし、その他の条件を同一として得られたスイッチを２つ製造し、これらをサンプルＮｏ．９、１０とした。次いで、比較例２のスイッチを用いて打鍵試験を行った。試験条件は実施例と同じとし、１００万回、および３００万回打鍵後のスイッチの接触抵抗を、実施例と同じ装置を用いて測定した。
【００４３】
実施例、比較例１、および比較例２の結果を下記の表１に示す。実施例のスイッチについて、１００万回打鍵後の接触抵抗を測定したところ、いずれのサンプルも１５ｍΩ以下であり、１００万回打鍵後の接触抵抗を測定したところ、いずれのサンプルも１５０ｍΩ以下であった。電子回路によりスイッチのオン・オフを読み取る場合の判定基準が１Ω程度であることから、本発明の実施例に係る基板用スイッチは、３００万回の打鍵後であっても、スイッチの作動特性に支障がないことがわかった。
【００４４】
比較例１のスイッチについて、１００万回打鍵後の接触抵抗を測定したところ、２４，０００ｍΩ以上となり、明らかな接触抵抗の差が認められた。比較例２のスイッチは、１００万回打鍵の段階では接触抵抗に有意な差は認められなかった。しかし、比較例２のスイッチでは、３００万回の打鍵後の接触抵抗が７０，０００ｍΩ以上となり、実施例のスイッチとの間で、明らかな接触抵抗の差が認められた。
【００４５】
比較例１においては、可動接点体の皿ばね側、固定接点体の銅箔側のめっき材料が異なるため、標準電極電位の差により発生した錆が接触抵抗増大の要因となっていると考えられる。比較例２では、可動接点体の皿ばね側、固定接点体の銅箔側の両方を銀めっきとしているため標準電極電位の差による錆の発生は防止されるが、銀１層のみのめっきであるため、実施例の金めっきと比べて耐摩耗性に劣り、長期使用による耐久性も実施例と比べて劣ることがわかった。
【００４６】
【表１】
0006579425.tif 000002
【産業上の利用可能性】
【００４７】
本発明による基板用スイッチは、工業用キーボードにおけるスイッチとして有用である。特に、組立済みのタクトスイッチが利用できないほど薄さが必要な場合、すなわちケース外装を含めて概ね１０ｍｍ以下、例えば３．５ｍｍ程度となる基板用スイッチに有用である。また、薄型スイッチの中でも、フィルム状の基板に銀ペーストなどの印刷接点から構成されるスイッチでは、接触抵抗が許容できない場合に使用することができる。
【符号の説明】
【００４８】
２    基板
２０  銅箔（固定接点）
２１  第１のめっき層
２２  第２のめっき層
２３  基板基材
２４  金属摩耗粉
３    可動接点体
３０  金属ドーム
３１  第１のめっき層
３２  第２のめっき層
３４  金属摩耗粉
４    スペーサ
５    カバーフィルム
６    ケース
７    押し子
８    シール（印刷物）
【図１】
0006579425.tif 000003
【図２】
0006579425.tif 000004
【図３】
0006579425.tif 000005